(57)【要約】【課題】この発明は、チャンネルバナーのデザインや色を現在日時情報によって変更させることができるテレビジョン受像機を提供することを目的とする。【解決手段】チャンネルバナー表示機能を備えたテレビジョン受像機において、チャンネルバナーのデザインおよび／または色を、現在の日時情報に応じて変更させる手段を備えている。この発明によれば、たとえば、現在の日時情報に応じて、季節に応じたデザインのチャンネルバナーを表示させることができる。【選択図】図１
2007295099.tif 000002
【特許請求の範囲】
【請求項１】
チャンネルバナー表示機能を備えたテレビジョン受像機において、チャンネルバナーのデザインおよび／または色を、現在の日時情報に応じて変更させる手段を備えていることを特徴とするテレビジョン受像機。
【請求項２】
チャンネルバナー表示機能を備えたテレビジョン受像機において、受像機に異常が発生しているか否かを監視する異常状態監視手段、および異常状態監視手段によって受像機に異常が発生していることが検出されている場合においては、異常が発生していることをユーザに報知するために、チャンネルバナーのデザインおよび／または色を変更させる手段を備えていることを特徴とするテレビジョン受像機。
【発明の詳細な説明】
【技術分野】
【０００１】
この発明は、チャンネルバナー表示機能を備えたテレビジョン受像機に関する。
【背景技術】
【０００２】
テレビジョン受像機では、一般的に、電源オン時において映像が表示されるときやチャンネル切り換え後の映像が表示されるときに、選局チャンネル等を含むチャンネルバナーがＯＳＤとして表示される。チャンネルバナーのデザインや色は、現在日時やテレビの状態にかかわらず常に同じものが用いられている。
【発明の開示】
【発明が解決しようとする課題】
【０００３】
この発明は、チャンネルバナーのデザインや色を現在日時情報に応じて変更させることができるテレビジョン受像機を提供することを目的とする。
【０００４】
また、この発明は、受像機に異常が発生していることを、チャンネルバナーによって報知することが可能となるテレビジョン受像機を提供することを目的とする。
【課題を解決するための手段】
【０００５】
請求項１に記載の発明は、チャンネルバナー表示機能を備えたテレビジョン受像機において、チャンネルバナーのデザインおよび／または色を、現在の日時情報に応じて変更させる手段を備えていることを特徴とする。
【０００６】
請求項２に記載の発明は、チャンネルバナー表示機能を備えたテレビジョン受像機において、受像機に異常が発生しているか否かを監視する異常状態監視手段、および異常状態監視手段によって受像機に異常が発生していることが検出されている場合においては、異常が発生していることをユーザに報知するために、チャンネルバナーのデザインおよび／または色を変更させる手段を備えていることを特徴とする。
【発明の効果】
【０００７】
この発明によれば、チャンネルバナーのデザインや色を現在日時情報に応じて変更させることができるようになる。
【０００８】
また、この発明によれば、受像機に異常が発生していることを、チャンネルバナーによって報知することが可能となる。
【発明を実施するための最良の形態】
【０００９】
以下、図面を参照して、この発明の実施例について説明する。
【実施例１】
【００１０】
図１は、チャンネルバナー表示機能を備えたテレビジョン受像機の構成を示している。      
【００１１】
アナログ放送は、アナログチューナ１０１でチューニングされ、信号処理回路１０２で処理される。アナログ放送がユーザによって選択されている場合には、信号処理回路１０２によって得られた映像信号は、メインＣＰＵ１０３、スケーラー１０４およびＯＳＤ追加回路１０５を介してディスプレイ１０６に送られる。
【００１２】
デジタル放送は、デジタルチューナ１０７でチューニングされ、信号処理回路１０８で処理される。信号処理回路１０８で処理された信号は、映像信号、音声信号および日時等の情報に分けられてデジタル放送用ＣＰＵ１０９に送られる。
【００１３】
デジタル放送用ＣＰＵ１０９は、日時情報をメインＣＰＵ１０３に送る。デジタル放送がユーザによって選択されている場合には、デジタル放送用ＣＰＵ１０９に送られてきた映像信号は、メインＣＰＵ１０３、スケーラー１０４およびＯＳＤ追加回路１０５を介してディスプレイ１０６に送られる。
【００１４】
メインＣＰＵ１０３は、図示しない温度センサからのセンサ信号に基づいて、受像機本体内の温度が所定温度を超えたか否かを監視する。そして、受像機本体内の温度が所定温度を超えた場合には、温度異常が発生したと判別する。また、メインＣＰＵ１０３は、受像機本体内に設けられた冷却ファン（図示略）が異常であるか否かも監視する。つまり、冷却ファンを駆動させているのに、冷却ファンが回転していない場合にファン異常が発生したと判別する。なお、冷却ファンからは回転しているか否かを表す信号（回転パルス信号）が出力されているので、冷却ファンを駆動させているのに冷却ファンが回転していないか否かは、冷却ファンから出力されている回転パルス信号に基づいて判別する。
【００１５】
メインＣＰＵ１０３は、電源オン時において映像が表示されるときやチャンネル切り換え後の映像が表示されるときに、選局チャンネル等を含むチャンネルバナーを表示させるためのチャンネルバナー表示用ＯＳＤ信号をＯＳＤ追加回路１０５に出力する。ＯＳＤ追加回路１０５は、このＯＳＤ信号に基づいて、チャンネルバナー表示データを生成して、映像信号に合成する。これにより、チャンネルバナーがディスプレイ１０６にオンスクリーン表示される。図５は、一般的なチャンネルバナーを示している。
【００１６】
この実施例では、メインＣＰＵ１０３は、現在の季節に応じたチャンネルバナーを表示するために、デジタル放送波から取得した日時情報に基づいて、現在の季節に応じたチャンネルバナー表示用のＯＳＤ信号を生成して、ＯＳＤ追加回路１０５に出力する。ＯＳＤ追加回路１０５は、現在の季節に応じたチャンネルバナー表示用ＯＳＤ信号に基づいて、チャンネルバナー表示データを生成して、映像信号に合成する。
【００１７】
具体的には、季節が春（３月〜５月）である場合には、図３（ａ）に示すようなデザインのチャンネルバナーが表示される。季節が夏（６月〜８月）である場合には図３（ｂ）に示すようなデザインのチャンネルバナーが表示され、季節が秋（９月〜１１月）である場合には図３（ｃ）に示すようなデザインのチャンネルバナーが表示され、季節が冬（１２月〜２月）である場合には図３（ｄ）に示すようなデザインのチャンネルバナーが表示される。つまり、図５の一般的なチャンネルバナーに比べて、該当する季節に応じた花や風景を伴うデザインに変更されている。
【００１８】
また、ＣＰＵ１０３は、温度異常またはファン異常が発生している場合には、異常状態をユーザに報知できるようなチャンネルバナーを表示するために、異常状態報知用のチャンネルバナー表示用ＯＳＤ信号を生成して、ＯＳＤ追加回路１０５に出力する。ＯＳＤ追加回路１０５は、異常状態報知用のチャンネルバナー表示用ＯＳＤ信号に基づいて、チャンネルバナー表示データを生成して、映像信号に合成する。
【００１９】
具体的には、図４に示すような、チャンネルバナーが表示される。つまり、図５の一般的なチャンネルバナーに比べて、異常状態を示すマークが追加されているとともに、チャンネルバナー内の背景色が赤色に変更されている。
【００２０】
図２は、チャンネルバナー表示処理手順を示している。
【００２１】
まず、メインＣＰＵ１０３は、チャンネルバナー表示タイミングか否かを判別する（ステップＳ１）。チャンネルバナー表示タイミングである場合には、メインＣＰＵ１０３は、温度異常またはファン異常が発生しているか否かを判別する（ステップＳ２）。
【００２２】
温度異常またはファン異常が発生している場合には、メインＣＰＵ１０３は、異常状態報知用のチャンネルバナー表示用ＯＳＤ信号を生成して、ＯＳＤ追加回路１０５に出力する（ステップＳ３）。ＯＳＤ追加回路１０５は、異常状態報知用のチャンネルバナー表示用ＯＳＤ信号に基づいて、チャンネルバナー表示データを生成して、映像信号に合成する。これにより、異常状態をユーザに報知できるようなチャンネルバナー（図４参照）がオンスクリーン表示される。そして、ステップＳ１に戻る。
【００２３】
上記ステップＳ２において、温度異常やファン異常が発生していないと判別した場合には、メインＣＰＵ１０３は、日時情報に基づいて、現在の季節に応じたチャンネルバナー表示用ＯＳＤ信号を生成して、ＯＳＤ追加回路１０５に出力する（ステップＳ４）。ＯＳＤ追加回路１０５は、季節に応じたチャンネルバナー表示用ＯＳＤ信号に基づいて、チャンネルバナー表示データを生成して、映像信号に合成する。これにより、現在の季節に応じたデザインのチャンネルバナー（図３参照）がオンスクリーン表示される。そして、ステップＳ１に戻る。
【００２４】
なお、上記実施例では、メインＣＰＵ１０３は、日時情報に基づいて、季節に応じたチャンネルバナー表示用ＯＳＤ信号を生成しているが、日時情報に基づいて、朝、昼、夜に応じたチャンネルバナー表示用ＯＳＤ信号を生成するようにしてもよい。例えば、朝であれば、チャンネルバナー内の背景色が緑色となり、昼であればチャンネルバナー内の背景色が黄色となり、夜であればチャンネルバナー内の背景色が灰色となるようなチャンネルバナーを表示させるためのチャンネルバナー表示用ＯＳＤ信号を生成するようにしてもよい。
【００２５】
また、メインＣＰＵ１０３は、日時情報に基づいて、１月〜１２月の各月に応じたチャンネルバナー表示用ＯＳＤ信号を生成するようにしてもよい。例えば、各月に応じて、その月の主な行事を表すようなチャンネルバナーを表示させるためのチャンネルバナー表示用ＯＳＤ信号を生成するようにしてもよい。
【図面の簡単な説明】
【００２６】
【図１】テレビジョン受像機の構成を示すブロック図である。
【図２】チャンネルバナー表示処理手順を示すフローチャートである。
【図３】季節に応じたチャンネルバナーの例を示す模式図である。
【図４】異常状態時に表示されるチャンネルバナーの例を示す模式図である。
【図５】一般的なチャンネルバナーの例を示す模式図である。
【符号の説明】
【００２７】
１０１  アナログチューナ
１０２  信号処理回路
１０３  メインＣＰＵ
１０４  スケーラー
１０５  ＯＳＤ追加回路
１０６  ディスプレイ
１０７  デジタルチューナ
１０８  信号処理回路
１０９  デジタル放送用ＣＰＵ
【図１】
2007295099.tif 000003
【図２】
2007295099.tif 000004
【図３】
2007295099.tif 000005
【図４】
2007295099.tif 000006
【図５】
2007295099.tif 000007